(57)【特許請求の範囲】
【請求項１】
矩形状をした屋根材本体の横方向の各々の側端部に下片部と上片部とからなる第一重合部を有するとともに前側端部を下段の屋根材の後側端部に重合する第二重合部とを設けて成る屋根材において、屋根材本体の裏面側に野地板上面に当接する高さの上下方向のリブを形成するとともにリブの背面に滑り防止部を設けたことを特徴とする屋根材。
【請求項２】
上記屋根材本体のリブの背面に設けられた滑り防止部が、凹凸形状に形成することを特徴とする請求項１記載の屋根材。
【請求項３】
上記屋根材本体のリブの背面に設けられた滑り防止部が、ゴムシートを貼着することを特徴とする請求項１記載の屋根材。
【請求項４】
上記屋根材本体が樹脂で形成されたことを特徴とする請求項１乃至請求項３記載のいづれか１項記載の屋根材。
【発明の詳細な説明】
【０００１】
【発明の属する技術分野】
本発明は、矩形状をした屋根材本体の横方向の各々の側端部及び前側端部を下段の屋根材の後側端部に重合して葺設する屋根材に関するものである。
【０００２】
【従来の技術】
従来は、図９に示したように、矩形状をしたセメント板、木質板等からなる下段の平板屋根材２０の横方向の側端部を当接させながら横方向（軒方向）に連接し、この下段の平板屋根材２０上に上段の平板屋根材２１を当接目地２２の中心から等間隔に配置されるように重合させ、この上段の平板屋根材２１の横方向の側端部を当接させながら横方向（軒方向）に下段の平板屋根材２０と同様に連接していくものである。さらに、上段の平板屋根材２１上に順次、棟方向に同様にして葺設していくものである。
【０００３】
このような，平板屋根材２０，２１は厚さが９〜１５ｍｍしかないので、重厚感がないので、デザイン上重厚感のあるような平板屋根材を現出することができなかった。又，重厚感のあるようにするためには、前端の厚みを厚くしなければならず、重量が増加し，屋根上に平板屋根材２０，２１に積載する際に、滑りが生じて施工作業がやりにくいという問題があった。そこで、軽量化材料を用いて滑りにくい平板屋根材２０，２１を製作しなければならないという問題があった。
【０００４】
【発明が解決しようとする課題】
本発明は上記問題点の解決を目的とするものであり、軽量で屋根面で滑りにくくしかも重厚感があり、施工の簡単な屋根材を提供するものである。
【０００５】
【課題を解決するための手段】
本発明の請求項１記載の屋根材は、矩形状をした屋根材本体の横方向の各々の側端部に下片部と上片部とからなる第一重合部を有するとともに前側端部を下段の屋根材の後側端部に重合する第二重合部とを設けて成る屋根材において、屋根材本体の裏面側に野地板上面に当接する高さの上下方向のリブを形成するとともにリブの背面に滑り防止部を設けたことを特徴とするものである。
【０００６】
したがって、軽量で屋根面で滑りにくくしかも重厚感があり、施工の簡単な屋根材を得ることができる。
【０００７】
本発明の請求項２記載の屋根材は、請求項１記載の屋根材本体のリブの背面に設けられた滑り防止部が、凹凸形状に形成することを特徴とする。
【０００８】
したがって、リブの背面の滑り防止部が、凹凸形状に形成されるので、屋根面から滑りにくくなり安全であるとともに、一体成形が可能となるので簡単に成形が可能となる。しかも、リブを桟木等に合うように現場で折って切断施工できるので、簡便である。
【０００９】
本発明の請求項３記載の屋根材は、請求項１記載の屋根材本体のリブの背面に設けられた滑り防止部が、ゴムシートを貼着することを特徴とすることを特徴とする。
【００１０】
したがって、リブの背面の滑り防止部にゴムシートを貼着しているので、屋根面から滑りにくいので安全である。
【００１１】
本発明の請求項４記載の屋根材は、請求項１乃至請求項３記載のいづれか１項記載の屋根材本体が樹脂で形成されているので、デザイン上、重厚感があり、踏み割れ強度が強く，軽量化の図れる屋根材を現出することができる。
【００１２】
【発明の実施の形態】
図１乃至図６は、請求項１乃至請求項４に係る発明に対応する一実施形態の屋根材を示す図で以下に説明する。
【００１３】
図１及び図４において、Ａは矩形状をした屋根材本体１の横方向の各々の側端部に下片部２と上片部３とからなる第一重合部４を有するとともに前側端部５を下段の屋根材６の後側端部７に重合する第二重合部８とを設けて成る屋根材である。さらに、この屋根材Ａには、屋根材本体１の裏面側に野地板９の上面に当接する高さの上下方向のリブ１０を形成して成るものである。この屋根材Ａの上下方向のリブ１０は、桟木等をクロスして載置する際に、この桟木等で屋根材本体１が浮かないように切り込みを入れるようにしている。この切り込みを入れる際に，リブ１０を指で折れるように手折切断可能としている。この屋根材Ａの屋根材本体１の後側端部７の上面に形成された突出部１１は、縦断面矩形状をしており横方向に連設している。この突出部１１は雨水の浸入を防止するようにすれば良いので縦断面形状は三角形状、楕円形状であっても良い。
【００１４】
さらに、屋根材本体１の前側端部５の裏面側に形成されている垂下片１２が、横方向に連設されているものであって、縦断面形状は、四角形状、三角形状、楕円形状であっても良い。要するに、雨水や火事等で発生する炎の進入を防止するように形成すれば良い。このとき、図５はＢ−Ｂ縦断面であって、上下方向のリブ１０である。このリブ１０は、縦断面形状は三角形状、四角形状、楕円形状であっても良く、要するに野地板９の上面に当接する高さに設定すれば良いものである。
【００１５】
この屋根材本体の上下方向のリブ１０の背面に設けられた滑り防止部１３が、樹脂の射出成形と同時に凹凸部１４に形成している。そして、この凹凸部１４は、図７に示した一実施形態のように、三角形状に複数個リブ１０に対して直交するように形成されている。この凹凸部１４は、点状突起状や針状に形成してもよく、要するに屋根面から滑りにくくなる形状に設定すればよいものである。このとき、前側端部５の背面にもけられたリブ１０は、薄肉に形成され現場で指により折り曲げ切断可能にすれば、野地板９に釘打ちされる桟木１５を避けて施工が可能となり、現場での切断作業が簡便となる。さらに、図８に示した異なる実施形態のように、この滑り防止部１３は、ブチルゴム、ウレタンゴム等でできたゴムシート１６を屋根材本体１の上下方向のリブ１０の背面に貼着してもよい。このゴムシート１６により摩擦力が大となるので、確実に滑りにくくなる。
【００１６】
又，図６のように、矩形状をした屋根材本体１の横方向の各々の側端部に設けられている下片部２は、屋根材の底面を外方に延出して形成された複数本の立設片１７を形成しており、この立設片１７は屋根材本体１の上面の肉厚より低く設定させていれば良いものである。この下片部２に重合される上片部３は、屋根材本体１の側端部上面を外方に延出させ、先端部を下方に屈曲して挿入片１８を下片部２の立設片１７、１７に挿入して第一重合部４を形成したものである。尚、屋根材本体の上下方向のリブ１０の背面に設けられた滑り防止部１３は、左右方向に設けられた補強リブ１９にも形成してもよい。
【００１７】
又、屋根材本体１の前側端部５の裏面側に形成されている垂下片１２が、複数本横方向に連設されていることにより、より雨仕舞い性や、防火性が向上する。又、屋根材本体１の前側端部５は、高く形成されていて上下段の屋根材Ａ１、Ａ２を重合する際にデザイン上重厚感のあるように成形されている。このように、下段の屋根材Ａ１の後側端部７の上面に形成された突出部１１を被装するようにして、上段の屋根材Ａ２の前側端部５の裏面側に形成されている垂下片１２が前方に配設されるように重合して第二重合部８を形成する。
【００１８】
このとき、図４に示したように、桟木１５上に下段の屋根材Ａ１を載置する際に、屋根材Ａ１の裏面に設けられている上下方向のリブ１０の斜線部分Ｘを指で折って載置する。したがって、リブ１０を桟木等に合うように現場で折って切断施工できるので簡便である。
【００１９】
このとき、屋根材本体１の裏面側に設けられたリブ１０が、野地板上面に当接する高さの上下方向のリブ１０を形成すればよい。このリブ１０の背面には、滑り防止部１３が設けられているので、施工時に屋根面上に積載した屋根材Ａが落下することもない。
【００２０】
尚，この屋根材Ａは、塩化ビニール樹脂、アクリル樹脂、ポリカーボネート等の樹脂で射出成形や注型等により製造すれば良いものであるが，屋根材Ａとしては、不燃性や強度を向上させるためにガラス繊維やスチール繊維、ガラスビーズ、炭酸カルシウム等の不燃材料を充填材として適宜配合すれば良い。そして、重厚感のある形状を現出させ、軽量化及び強度の大なる屋根材Ａを作ることが可能となる。
【００２１】
【発明の効果】
上述の如く、本発明の請求項１記載の屋根材は、矩形状をした屋根材本体の横方向の各々の側端部に下片部と上片部とからなる第一重合部を有するとともに前側端部を下段の屋根材の後側端部に重合する第二重合部とを設けて成る屋根材において、屋根材本体の裏面側に野地板上面に当接する高さの上下方向のリブを形成するとともにリブの背面に滑り防止部を設けているので、軽量で屋根面で滑りにくくしかも重厚感があり、施工の簡単な屋根材を得ることができる。
【００２２】
本発明の請求項２記載の屋根材は、リブの背面の滑り防止部が、凹凸形状に形成されるので、屋根面から滑りにくくなり安全であり、一体成形が可能となるので簡単に成形が可能となる。
【００２３】
本発明の請求項３記載の屋根材は、屋根材本体のリブの背面に設けられた滑り防止部に、ゴムシートを貼着しているので、屋根面から滑りにくいので安全である。
【００２４】
本発明の請求項４記載の屋根材は、屋根材本体が樹脂で形成されているので、デザイン上、重厚感があり、踏み割れ強度が強く，軽量化が図れる
【図面の簡単な説明】
【図１】本発明の屋根材の背面図である。
【図２】本発明の図１で示した屋根材の側端面から見た側面図である。
【図３】本発明の図１で示した屋根材の後ろから見た側面図である。
【図４】本発明の図１で示した屋根材のＡ−Ａ縦断面図である。
【図５】本発明の図１で示した屋根材のＢ−Ｂ縦断面図である。
【図６】本発明の図１で示した屋根材のＣ−Ｃ縦断面図である。
【図７】本発明の一実施形態に係るリブの背面を示す要部を示す背面から見た斜視図である。
【図８】本発明の異なる実施形態に係るリブの背面を示す要部を示す背面から見た斜視図である。
【図９】従来の平板屋根材の重合状態を示す要部の平面図である。
【符号の説明】
Ａ      屋根材
１      屋根材本体
２      下片部
３      上片部
４      第一重合部
５      前側端部
７      後側端部
８      第二重合部
９      野地板
１０    リブ
１１    突出部
１２    垂下片
１３    滑り防止部
１４    凹凸部
１５    桟木
１６    ゴムシート
１７    立設片
１８    挿入片
１９    補強リブ
【図１】
0003693012.tif 000002
【図２】
0003693012.tif 000003
【図３】
0003693012.tif 000004
【図４】
0003693012.tif 000005
【図５】
0003693012.tif 000006
【図６】
0003693012.tif 000007
【図７】
0003693012.tif 000008
【図８】
0003693012.tif 000009
【図９】
0003693012.tif 000010